(57)【要約】【課題】枚葉紙を処理するための方法及び装置を提供する。【解決手段】印刷像（２４）を有する枚葉紙（２３）をカウントし、カウント中に有効部（２３）の側縁部（２６；２７）と印刷像（２４）との間の間隔（ａ２６；ａ２７）を検出するようにした。【選択図】図１
2006058287.tif 000002
【特許請求の範囲】
【請求項１】
複数の有効部（２３）を有する印刷材料を個々の有効部（２３）に分断し、１有効部（２３）の少なくとも１部分域と、センサ（２２）に接続された反射を検出する受信機（１６）とを相対運動させ、前記センサ（２２）から発せられた信号（２９）を有効部（２３）の検出面に関連して評価する形式の、枚葉紙を処理するための方法において、
印刷像（２４）を有する枚葉紙（２３）をカウントし、カウント中に有効部（２３）の側縁部（２６；２７）と印刷像（２４）との間の間隔（ａ２６；ａ２７）を検出することを特徴とする、枚葉紙を処理するための方法。
【請求項２】
請求項１記載の方法を実施するための、枚葉紙を処理するための装置において、カウンタ（０１）が設けられており、該カウンタ（０１）の一部（０３）が１枚葉紙（２３）に対して相対運動可能である形式のものにおいて、
センサ（２２）の信号（２９）の経過が、枚葉紙（２３）の検出部分域に沿った反射に関する基準であることを特徴とする、枚葉紙を処理するための装置。
【請求項３】
信号（２９）の経過が、有効部（２３）の側縁部（２６；２７）と有効部（２３）の印刷像（２４）との間の間隔（ａ２６；ａ２７）に関する寸法である、請求項２記載の装置。
【発明の詳細な説明】
【技術分野】
【０００１】
本発明は、複数の有効部を有する印刷材料を個々の有効部に分断し、１有効部の少なくとも１部分域と、センサに接続された反射を検出する受信機とを相対運動させ、前記センサから発せられた信号を有効部の検出面に関連して評価する形式の、枚葉紙を処理するための方法及び該方法を実施するための装置に関する。
【背景技術】
【０００２】
ドイツ連邦共和国特許第４０２６２５０号明細書には、１枚のウェブを個々のデザインに裁断するための装置が記載されている。
【０００３】
ヨーロッパ特許第０７３７９３６号明細書には、枚葉紙カウンタの回転式のカウンタディスクが記載されている。
【特許文献１】ドイツ連邦共和国特許第４０２６２５０号明細書
【特許文献２】ヨーロッパ特許第０７３７９３６号明細書
【発明の開示】
【発明が解決しようとする課題】
【０００４】
本発明の課題は、枚葉紙を処理するための方法及び装置を提供することである。
【課題を解決するための手段】
【０００５】
この課題を解決するために本発明では、印刷像を有する枚葉紙をカウントし、カウント中に有効部の側縁部と印刷像との間の間隔を検出するようにした。更に、センサの信号の経過が、枚葉紙の検出部分域に沿った反射に関する基準であるようにした。
【発明の効果】
【０００６】
本発明により得られる利点は特に、簡単な形式で裁断制御を実施することができる、又はカウントパルスがトリガされ得るという点にある。カウント動作に加えて付加的に唯一の装置で裁断制御を実施することも可能である。
【発明を実施するための最良の形態】
【０００７】
以下に、本発明の実施例を図面につき詳しく説明する。
【０００８】
カウンタ０１は定置のディスク０２と、回転式のカウンタディスク０３と、このカウンタディスク０３と共に回転するカバーリング０４とを有している。定置のディスク０２と回転式のカウンタディスク０３との間には滑り軸受け０６が配置されている。前記カウンタディスク０３は、本実施例では６つの等しい周面区分に分割されている。これらの周面区分はそれぞれ半径方向端部にセグメント０７を有しており、これらのセグメント０７は周方向で見て、半径方向に延びる開口０８によって分断されている。前記セグメント０７の前端部にはノーズ０９が設けられており、後端部には楔形の凹所１１が設けられている。この凹所１１はセグメント０７の下側に配置されており、周方向で延在し且つ後続のセグメント０７のノーズに向かって広がっている。この凹所１１には、吸込み空気を供給するための複数の通路１２が開口している。
【０００９】
各セグメント０７のノーズ０９の後端部の領域には反射測定装置１３が配置されている。この装置１３は、例えば送信機１４と受信機１６と、この受信機１６に接続された評価装置とを有している。本実施例では、送信機１４及び受信機１６は例えばグラスファイバから成る光導波路１７として形成されている。これらの光導波路は、それぞれトルク伝達機１８に接続されている。このトルク伝達機１８は、例えば定置のディスクに配置されて周方向で延びる２つの繭形の光学系１９を有している。これらの光学系１９はそれぞれ、当該光学系１９に沿って入射する光を小さな範囲に集束する。この範囲には光導波路１７の一方の端部が配置されている。光導波路１７の第２の端部は照明装置２１若しくはセンサ２２に接続されている。
【００１０】
つまり、例えば６つのセグメント０７には、それぞれ各１つの照明装置２１とセンサ２２とが対応配置されており、これらの照明装置２１とセンサ２２とから光導波路１７を介して、光及び反射された放射線が、カウンタディスク０３のセグメント０７の回転する測定位置から、若しくは該測定位置へ導かれる。
【００１１】
また、全測定位置に関して共通の１照明装置２１しか設けず、且つ各測定位置に関して専用のセンサ２２を設けることも可能である。択一的に、全ての測定位置又は測定位置群の光導波路１７を統合してセンサ２２に供給することが可能である。
【００１２】
同様に、センサ２２及び照明装置２１を光導波路無しで測定位置に直接に配置することも可能である。この場合、所属のエネルギ及びデータは、例えば誘導式で作動するトルク伝達機によって伝達されてよい。
【００１３】
センサ２２と照明装置２１とは１構成部材内で統合されていてよい。
【００１４】
複数のセグメント０７を有するカウンタディスク０３の代わりに、１つのセグメント０７だけでも可能である。
【００１５】
以下に、上で説明した装置の機能形式を説明する。
【００１６】
印刷材料は複数の有効部２３を備えて印刷され、印刷後に個々の有効部２３に分割される。これらの有効部２３はそれぞれ印刷像２４を有している。この印刷像２４は有効部２３の側縁部２６；２７に対して間隔ａ２６；ａ２７を有している。有効部２３の側縁部２６；２７は、当該有効部２３の裁断縁部に相応する。これらの有効部２３は有利には有価証券、特に紙幣である。
【００１７】
積み重ねて配置された有効部２３、つまり個々の枚葉紙２３のスタックはカウンタ０１に当て付けられ、これにより、カウンタディスク０３によって張設される平面は、有効部２３によって張設される平面に対してほぼ平行に位置している。この場合、スタックの１角隅部は、回転式のカウンタディスク０３のノーズ０９も凹所１１も枚葉紙スタックの当該角隅部を擦過するように位置している。
【００１８】
負圧の供給されたセグメント０７の凹所１１が有効部２３の１角隅部を擦過すると直ちに、この角隅部は湾曲部を形成しつつ凹所１１に引き込まれる。カウンタディスク０３の回転により、凹所１１は前記湾曲部を越えて滑動し、次いでカウンタディスク０３のノーズ０９が前記湾曲部によって形成された、吸い込まれた有効部２３とその下に位置する有効部２３との間の空間に侵入する。つまり、ノーズ０９は持ち上げられた有効部２３の下位でこの有効部２３の下面に沿って滑動する。送信機１４及び受信機１６が配置された領域も同様に、有効部２３の角隅部の下面に沿って滑動する。この場合、角隅部で合致する、有効部２３の側縁部２６；２７と有効部２３の印刷像２４との間の両縁部域と、その間に位置する印刷像２４とが、反射部として受信機１６により検出される。
【００１９】
信号２９の評価が行われるか、又は照明装置２１の作動される規定された角度範囲にわたって、窓２８が固定されてよい。
【００２０】
受信機１６の信号２９は評価装置へ供給される。時間及びカウンタディスク０３の周速又はカウンタディスクの角度位置に関連した信号２９の大きさに基づいて、有効部２３の少なくとも１つの側縁部２６；２７から印刷像２４までの間隔ａ２６；ａ２７が算出される。
【００２１】
更に、信号２９は受信機１６により有効部２３にわたって検出された領域、つまり有効部２３の長さｌ２３及び印刷像２４の長さｌ２４に関する寸法を供給する。これにより、裁断精度が制御される。本実施例では信号２９は裁断精度に加えて付加的にカウントパルスをトリガするためにも使用される。裁断制御を行わず、カウントパルスをトリガするためだけに信号２９を使用することも可能である。
【００２２】
信号２９又は信号２９から検出される値は予め規定された信号／値と比較され、公差を有するこれらの値と相違する場合には、別の経過を警告又は制御するための別の信号が送出される。
【図面の簡単な説明】
【００２３】
【図１】カウンタディスクの概略図である。
【図２】カウンタディスクの第１の断面図である。
【図３】カウンタディスクの第２の断面図である。
【図４】カウンタディスクの第３の断面図である。
【図５】センサ信号の経過を概略的に示した図である。
【符号の説明】
【００２４】
１  カウンタ、  ２  定置のディスク、  ３  カウンタディスク、  ４  カバーリング、  ６  滑り軸受け、  ７  セグメント、  ８  開口、  ９  ノーズ、  １１  凹所、  １２  通路、  １３  反射測定装置、  １４  送信機、  １６  受信機、  １７  光導波路、  １８  トルク伝達機、  １９  光学系、  ２１  照明装置、  ２２  センサ、  ２３  有効部、  ２４  印刷像、  ２６，２７  側縁部、  ａ２６，ａ２７  間隔、  ２８  窓、  ２９  信号
【図１】
2006058287.tif 000003
【図２】
2006058287.tif 000004
【図３】
2006058287.tif 000005
【図４】
2006058287.tif 000006
【図５】
2006058287.tif 000007